(57)【要約】【課題】表現の自由度が高い多彩な形状の携帯端末機器用充電スタンドの提供。【解決手段】側面に所定の間隔で嵌合孔を連続で設けてある棒状ブロック玩具を利用して、そこに携帯端末機器の充電のできる部材を用いて携帯端末機器用充電スタンドを組み立てる。【選択図】図2
2016010274.tif 000002
【特許請求の範囲】
【請求項１】
携帯端末機器を充電するための充電用プラグ受け台は、充電用プラグ受け台を支える支持部と、前記支持部に支持部嵌合孔又は係止連結棒と、前記支持部に延設した連結支持部と、該連結支持部にプラグ挿入に適した内径の受筒と、該受筒縦側にコード挿入孔を設けたことを特徴とした充電用プラグ受け台。
【請求項２】
前記連結支持部に立設状態で前記端子と前記コードの一部を含め設け、前記端子と前記プラグ及び前記コードの一部を含め設けたことを特徴とする請求項1記載の充電用プラグ受け台。
【請求項３】
前記受筒上端外径より下方に向かい外径が大きくなるテーパーを設けた受筒と、該受筒外径に適合する内径の狭止環の上端より、下端に向かって内径が大きくなる前記テーパーを設けた前記狭止環を組み合わせ用いることを特徴とした、請求項1、記載の充電用プラグ受け台。
【請求項４】
前記支持部に、コード係止柱を複数設けたことを特徴とした、請求項1、請求項3記載の充電用プラグ受台。
【請求項５】
前記コード係止柱を複数設けた、該コード係止柱側面に、コード係止柱凹部を各々相反する位置になるよう複数設けたことを特徴とした請求項1、請求項3、請求項4記載の充電用プラグ受け台。
【請求項６】
前記連結支持部に扁平状の板を連立設したことを特徴とした請求項1、請求項3記載の充電用プラグ受け台。
【発明の詳細な説明】
【技術分野】
【０００１】
本発明は、ブロック玩具を用いて、携帯端末機器用充電スタンドを構築するに最適な位置に充電用プラグ受け台を設けた、ブロック組立式スタンドの充電用プラグ受け台に関するものです。
【背景技術】
【０００２】
携帯端末機器の充電には、機器を支える傾斜板と受け台底部に充電プラグが一体的に設けらているものがある。
又、機器を支える受け台と傾斜板が一体的に設けられているスタンドが一般的に提供されている。
【発明の概要】
【０００３】
前述のように、今迄の携帯端末機器用充電スタンドは、表現力に乏しいという欠点があった。
【０００４】
本発明は、このような問題点を解決するため、端面において略四角形状の棒状ブロックの側面に、嵌合孔を所定の間隔で連続して設けてある棒状ブロック玩具を利用してスタンドを構築し、そこに充電用プラグ受け台を組み合わせて多彩な形状の携帯端末機器用充電スタンドを提供しようとすることです。
【課題を解決するための手段】
【０００５】
本発明はこのような問題点を解決するため、充電用プラグ受け台に、プラグ支持部を設け、該プラグ支持部側面に嵌合孔を設け、該嵌合孔側面より延設して設けた連結支持部に、プラグの外径に適した内径と外径では上端より下方に向かって外径が大きくなるテーパーを設けた受筒と、前記連結支持部上部の間で、狭止環挿入空間部を構成し、前記連結支持部反対側、受筒縦側面にコード挿入縦孔を設け、該コード挿入縦孔にプラグに接続するコードを挿入し、前記受筒にプラグを挿入。該受筒外径上端より下方に向かって外径が大きくなるテーパーを有した受筒外径に適した内径の上端より下端に向かって内径が大きくなるテーパーを設けた狭止環を、前記受筒上端より挿入、押圧狭止し、前記受筒に収まったプラグを所定の位置に固定する。
【０００６】
尚、以後使用する部材で、端面で略四角形状側面に所定の間隔で連続に嵌合孔を有した棒状ブロック玩具部材を暫定的に記載に適した名称で記載します。
【０００７】
前記棒状ブロック玩具部材を、ブロックスタンドを構築するに適した長さの側面に嵌合孔を有したスタンド部材二組の間に、前記受筒にプラグとコードを収納狭止環で狭止固定された充電用プラグ受け台を挿入し、該充電用プラグ受け台に設けられた前記支持部嵌合孔と、前記二組スタンド部材側面に所定の間隔で連続して設けてある嵌合孔下端より数段上部所定の嵌合孔に、連結棒を挿入連結し、スタンド部を構築し、二組のスタンド部材下端嵌合孔の各々外側両側面に、スタンド受け部材を構築するに適した長さのスタンド受け部材二組の端の嵌合孔を当接各々嵌合孔に連結棒を挿入連結し、スタンド受け部を構成し、該二組のスタンド受け部材の各々内側適宜な均衝のとれた位置嵌合孔に、前記二組のスタンド部材を支えるに適した長さの二組のスタンド支持部材下端嵌合孔を当接各々嵌合孔に連結棒を挿入連結し、前記二組のスタンド支持部材上端嵌合孔を、各々両外側より挟むよう二組のL字状の側面に、所定の間隔で複数の嵌合孔を有した長腕側角各々の嵌合孔に連結棒を挿入連結し、該二組のL字状の長腕角方向一つ目の嵌合孔と、前記二組のスタンド部材の間に設けたプラグが挿入された受筒の適宜な位置に合わせ、前記内側に設けられた二組のスタンド部材嵌合孔に連結棒を挿入連結し、前記二組のL字状短腕側端それぞれ内側側面嵌合孔と、二組のブロック係止部材の中間嵌合孔に連結棒を挿入連結すると、該連結されたブロック係止部材が前記スタンド部材の背面に当接し、L字状携帯端末機器受け部材は、前記受筒に対し直角に保つことができる携帯端末機器用充電プラグ受け台付スタンドが構築される。
【発明の効果】
【０００８】
本発明によれば、携帯端末機器を
（1）立て掛けて支持し充電ができる携帯端末機器用スタンドを、各種の玩具ブロック部材と、充電用プラグ受台を用いることにより、多彩な形状の携帯端末機器用充電スタンドが得られる。
（2）充電用プラグ受台を用いることにより、端子が上下に移動し固定手段が設けられているので、携帯端末機器用保護カバーを用いることによる機器のソケットとプラグ端子の挿入深度の変化に対応できる。
（3）又この他、充電用プラグ受け台に設けた支持部嵌合孔を利用し、様々な形状の木製スタンドを作成し、携帯端末機器用充電スタンドを構築することもできる。
【発明を実施するための形態】
【０００９】
本発明を実施するための形態について、図を用いて詳細に説明する。
Fはプラスチック素材で成形された充電用プラグ受台。1は支持部、2は複数の支持部嵌合孔、2Mは支持部係止連結棒、3は連結支持部、4は受筒、5は挿入空間部、6は狭止環、7はテーパー、8は端面で略四角形状で側面に所定の間隔で連続嵌合孔を有した棒状ブロック部材、9は嵌合孔、10は棒状ブロックスタンド部材、11は棒状ブロックスタンド受け部材、12は棒状ブロックスタンド支持部材、13はＬ字状携帯端末機器受け部材、14はブロック係止部材、15は前記嵌合孔9に適合する径の短連結棒、15Kは前記支持部嵌合孔2と前記嵌合孔9に適合する径の長連結棒、16は携帯端末機器、17はソケット、18はプラグ、19は端子、20はプラグ下顎、21はコード、22はプラグ下顎押止部、23はコード挿入縦孔、24はコード係止柱、25は係止柱24側面に設けた係止凹部、26は該係止凹部25に相反する位置に設けた係止凹部、27は扁平状の板、28は両面接着テープ、29は剥離紙、30は凸嵌合部を有したプラグ、31は凹嵌合部を有したプラグ、Hはスタンド、同じ要素については同じ番号を付すことにより重複した説明を省略する場合もあります。
【００１０】
本発明に係る充電用プラグ受け台Fは、図1に示すように支持部1側面に設けられた複数の支持部嵌合孔2又は図13に示す係止連結棒2Mと、該嵌合孔2又は係止連結棒2M側面縦に、前記支持部1に連設された連結支持部3に連設したプラグ18の挿入に適した内径の受筒4を設け、該受筒4の外径では、上端より下方に向かって外径が大きくなるテーパー7を設け、該受筒4の連結支持部3反対側受筒4側面縦側に、コード挿入縦孔23と、前記受筒4内側下方側面に、プラグ下顎押止部22を設け、前記支持部1下端又は側面に、コード21が間に収まる間隔の位置に、コード係止柱24を二本設け、該係止柱24上方側面にコード係止凹部25を設け、該係止凹部25の相反する位置になるよう、もう一方の係止柱24側面にコード係止凹部26を構成し、尚前記受筒4に設けた前記コード挿入縦孔23は、前記受筒4に連設された前記連結支持部3を除き、前記受筒4の縦側側面より位置を特定せず前記コード挿入縦孔23として設けることもできる。
【００１１】
図2は、充電用プラグ受け台Fの実施状態を示すコード挿入縦孔23に、前記コード21を挿入し、前記外径で上端より下方に向かって外径が大きくなる前記テーパー7を設けた受筒4に、図3に示すプラグ18の挿入に適した内径の前記受筒4に、前記プラグ18を前記プラグ下顎押止部22まで挿入し、前記テーパー7を設けた受筒4外径に適合する内径の上端より下端に向かって内径が大きくなる前記テーパー7を設けた図4に示す狭止環6を、前記テーパー7を設けた前記プラグ受筒4の上端より前記挿入空間部5を経て挿入押圧すると、前記コード挿入縦孔23が両側より狭まり、前記プラグ18を押圧狭止するか、又前記プラグ下顎20を前記プラグ下顎押止部22迄挿入せず、その時々の状況に応じ、前記プラグ18を、前記受筒4挿入途中で、前記内径上端より下端に向かって内径が大きくなる前記テーパー7を設けた狭止環6で押圧狭止固定することもできる。
【００１２】
又、前記プラグ18に接続された前記コード21を、前記コード係止凹部25と、前記コード係止凹部26の間に、前記コード21を略S字状に収納することにより、更に前記受筒4に収納された前記プラグ18と、前記コード21は、外部からの引き圧力に抗し、所定の位置を確実に確保することができる。
【００１３】
更に、前記コード係止柱24は、二本に限らず複数本設け、前記コード係止凹部26を複数設けることもできる。
【００１４】
前記図2に示す前記プラグ18と、前記コード21を収納した状態の充電用プラグ受け台Fを、前記図6に示す側面に、所定の間隔で連続して設けられた嵌合孔9を有する棒状ブロック部材8を、前記端末機器16用充電スタンドに適した長さの二組の前記棒状ブロックスタンド部材10の、該スタンド部材10側面に、所定の間隔で連続して設けられた二組の嵌合孔9の適宜な位置に収め、前記支持部嵌合孔2と適合する前記嵌合孔9を合わせ、図7に示す、前記連結棒15Kを挿入連結し、二組の前記スタンド部材10の下端両前記嵌合孔9の各々外側に位置するようスタンド受け部材に適した長さの二組の前記スタンド受け部材11の両端前記嵌合孔9を合わせ、図7に示す連結棒15を挿入連結し、二組の前記スタンド受け部材11の各々内側に適した均衡のとれた位置の両前記嵌合孔9と、二組の前記スタンド部材10を支えるに適した長さの二組の前記スタンド支持部材12両端両前記嵌合孔9を当接し、前記連結棒15を挿入連結する。
【００１５】
次に図8に示す側面に、所定の間隔で連続して設けられた前記連結棒15の直径に適合する、前記嵌合孔9を有した二組の前記L字状機器受け部材13の、両長腕側両角前記嵌合孔9が、二組の前記スタンド支持部材12の上端前記嵌合孔9を、両側より挟むように各々前記連結棒15を挿入連結し、二組の前記スタンド部材10の間に挟まれ設けられた、前記プラグ端子19の位置に合わせて、二組の前記スタンド部材10に設けられた適した位置の前記嵌合孔9を両側より挟むように二組の前記L字状機器受け部材13両角の前記嵌合孔9の一つ目の両長腕側に向かった前記嵌合孔9に、前記連結棒15を挿入連結し、二組の前記L字状角前記嵌合孔9より両短腕側に向かった二つ目の前記嵌合孔9と、図9に示す側面に、所定の間隔で前記嵌合孔9を有した前記連結棒15に適合する二組の前記ブロック係止部材14を、二組の前記L字状機器受け部材13それぞれ内側に位置させ、二組の前記L字状機器受け部材13に設けられた短腕側角嵌合孔から二つ目の前記嵌合孔9と、二組の前記ブロック係止部材14に設けられた中間部の両前記嵌合孔9を合わせ、前記連結棒15を各々挿入連結させることにより、二組の前記ブロック係止部材14が二組の前記スタンド部材10の背面で当接し、二組の前記L字状機器受け部材13がしっかりと前方部において固定された前記充電用プラグ受け台Ｆを備えるスタンドHが構築され、又前記スタンドHの構築時の安定等必要に応じ、図11背面図に示す二組の前記スタンド部材10の間上端に、前記ブロック係止部材14を挿入し、該ブロック係止部材14側面に設けられた前記嵌合孔9と、二組の前記スタンド部材10側面に設けられた前記嵌合孔9を当接し、前記連結棒15Kを挿入連結し、前記スタンドHを構築することができる。
【００１６】
図12に示すスタンドを構築した
二組の前記スタンド部材10の間に設けられた、前記充電用プラグ受台Fの、前記受筒に収まった前記端子19に、前記機器受け部材13に前記携帯端末機器16を載置し、該携帯端末機器16に設けられたソケット17を挿入充電を開始し、充電完了時に前記端子19より前記ソケット17を引き抜く時の引き圧力に抗する前記外側にテーパー7を設けた、前記受筒4に収まった、前記プラグ18を、前記内側にテーパー7を設けた狭止環6を、前記受筒4上端より挿入押圧狭止された、前記プラグ18と、前記プラグ18に接続された前記コード21が前記係止柱24側面に設けた、前記コード係止凹部25と相反する位置に設けた前記コード係止凹部26の間に、隙間なく略S字状に収納された、前記コード21は、前記係止凹部25と、前記コード係止凹部26の間で摩擦力が増大し、前記プラグ18は、確実に前記受筒4内所定の位置に確保される充電用プラグ受け台F。
【第二実施例】
【００１７】
図13に示す前記支持部1側面に前記嵌合孔9に適合する径の前記支持部1に、前記支持部係止連結棒2Mを設け構成した充電用プラグ受け台F。
【第三実施例】
【００１８】
図14、図15に示す前記充電用プラグ受け台は、前記連結支持部3に連接された前記端子19を立設し、前記コードの一部を含め成型し、前記プラグ18を設けて構成された前記充電用プラグ受け台Fとして設けることもできる。
【第四実施例】
【００１９】
図1に示す前記支持部1に設けた前記支持部嵌合孔2と、図13に示す前記支持部係止連結棒2Mを除き、前記連結支持部3に扁平状の板27を連立設し、該扁平状の板27外側面に、前記両面接着テープ28の一面を貼設し、もう一方の前記両面接着テープ28に設けられた剥離紙29を剥がし、前記両面接着テープ28の一面を図16に示す充電用プラグ受け台Fを一例を示せば、市販の携帯端末機器用スタンド表側面適宜な位置に貼設し設けることもできる前記充電用プラグ受け台F。尚、図は省略す。
【第五実施例】
【００２０】
前記充電用プラグ受け台Fに設けた、前記支持部3に連設された前記凹嵌合プラグ30と、前記凸嵌合プラグ31で二分割され設けられた、前記連結支持部3に連設された、前記凹嵌合プラグ30の内側に、前記外側に突き出た端子19と、前記コード21の一部を挿入係止固定できる手段を設けた前記凹嵌合プラグ30内側に、前記外側に出た端子19と、前記コード21の一部を挿入係止固定し、前記凹嵌合プラグ30に、前記二分割された前記凸嵌合プラグ31を重ね、前記凹嵌合プラグ30と、前記凸嵌合プラグ31を嵌め込み係止結合し、前記外側に出た端子19と、前記コード21の一部を係止結合し、前記端子19と前記プラグ18と前記コード21の一部を含め設けた、前記充電用プラグ受け台Fを構成する事も出来る。図は省略す。
【図面の簡単な説明】
【００２１】
【図１】充電用プラグ受け台拡大側面斜視図。
【図２】充電用プラグ受け台の実施状態を示す拡大斜視図。
【図３】プラグ拡大正面図。
【図４】狭止環拡大側面図。
【図５】狭止環拡大平面図。
【図６】端面で略四角形状側面に、所定の間隔で嵌合孔を連設設けた棒状ブロック部材側面斜視図。
【図７】連結棒側面図。
【図８】L字状携帯端末機器受け部材側面図。
【図９】ブロック係止部材側面図。
【図１０】図2における充電用プラグ受け台を棒状ブロック部材に組み込みスタンドを構築した側面図。
【図１１】図10背面図。
【図１２】図2における充電用プラグ受け台を棒状ブロック部材に組み込み構築したスタンドHに、携帯端末機器を載置した状態を示す縮小側面図。
【図１３】第二実施例を示す充電用プラグ受け台拡大側面斜視図。
【図１４】第三実施例をを示す充電用プラグ受け台側面斜視図。
【図１５】図14充電用プラグ受け台支持部嵌合孔に代え、支持部係止連結棒を設けた側面斜視拡大図。
【図１６】第四実施例を示す充電用プラグ受け台側面斜視拡大図。
【符合の説明】
【００２２】
F充電用プラグ受台
1 支持部
2 支持部嵌合孔
2M 支持部係止連結棒
3 連結支持部
4 受筒
5 挿入空間部
6 狭止環
7 テーパー
8 端面で略四角形状側面に所定の間隔で連続嵌合孔を有した、棒状ブロック部材
9 嵌合孔
10 棒状ブロックスタンド部材
11 棒状ブロックスタンド受け部材
12 棒状ブロックスタンド支持部材
13 L字状の携帯端末機器受け部材
14 ブロック係止部材
15 、15K 連結棒
16 携帯端末機器
17 ソケット
18 プラグ
19 端子
20 プラグ下顎
21 コード
22 プラグ下顎押止部
23 コード挿入縦孔
24 コード係止柱
25 コード係止凹部
26 コード係止凹部
27 扁平な板
28 両面接着テープ
29 剥離紙
30  凹嵌合部を有したプラグ
31  凸嵌合部を有したプラグ
H スタンド
【図１】
2016010274.tif 000003
【図２】
2016010274.tif 000004
【図３】
2016010274.tif 000005
【図４】
2016010274.tif 000006
【図５】
2016010274.tif 000007
【図６】
2016010274.tif 000008
【図７】
2016010274.tif 000009
【図８】
2016010274.tif 000010
【図９】
2016010274.tif 000011
【図１０】
2016010274.tif 000012
【図１１】
2016010274.tif 000013
【図１２】
2016010274.tif 000014
【図１３】
2016010274.tif 000015
【図１４】
2016010274.tif 000016
【図１５】
2016010274.tif 000017
【図１６】
2016010274.tif 000018